(57)【要約】      （修正有）【課題】貯槽の内側壁及び撹拌羽根に対して清掃を行うことができ、操作が簡単であり、使用が便利であるモルタル吹付装置を提供する。【解決手段】モルタル吹付装置は、基台１と、基台１の上端に固設されている貯槽２と、を備え、貯槽２の上端に駆動モータ３が固設され、貯槽２の上端の前後両側にマイクロモータ６が固定取付され、マイクロモータ６の出力軸にスクリューロッド７が固定連結され、貯槽２の内部に前後両端がスクリューロッド７にネジ結合された可動枠８が設けられ、可動枠８の下部にスクレーパーブレードが固設され、水ポンプ１１の出力端が給水管１２を介して貯槽２の内部と接続し、給水管１２にホース１３が接続され、ホース１３の一端が可動枠８内部のチャンバと接続し、可動枠８の外側壁に複数の透水孔が等間隔で設けられている。【選択図】図１
0003235431.tif 000002
【実用新案登録請求の範囲】
【請求項１】
基台（１）と、この基台（１）の上端に固設されている貯槽（２）と、を備えたモルタル吹付装置であって、
前記貯槽（２）の上端には、駆動モータ（３）が固設されており、
前記駆動モータ（３）の出力軸には、撹拌羽根（５）が設けられている撹拌軸（４）が固定連結されており、
前記貯槽（２）の上端の前後両側には、マイクロモータ（６）が固定取付されており、
前記マイクロモータ（６）の出力軸には、スクリューロッド（７）が固定連結されており、
前記貯槽（２）の内部には、前後両端が前記スクリューロッド（７）にネジ結合されている可動枠（８）が設けられており、
前記可動枠（８）の下部には、スクレーパーブレード（９）が固設されており、
前記貯槽（２）の上端の一側には、水槽（１０）が設けられており、
前記水槽（１０）の上端には、水ポンプ（１１）が固設されており、
前記水ポンプ（１１）の出力端は、給水管（１２）を介して前記貯槽（２）の内部と接続しており、
前記給水管（１２）には、ホース（１３）が接続されており、
前記ホース（１３）の一端は、前記可動枠（８）内部のチャンバと接続しており、
前記可動枠（８）の外側壁には、複数の透水孔（１４）が等間隔で設けられており、
前記貯槽（２）の外端の一側には、縦支持板（１５）が設けられており、
前記縦支持板（１５）の一側には、複数のＵ字型板（１６）が等間隔で設けられており、
前記Ｕ字型板（１６）の一端は、前記貯槽（２）の側壁を貫通するように前記貯槽（２）の内部に設けられており、
前記縦支持板（１５）の両端のいずれにも、案内ロッド（１７）が設けられており、
前記貯槽（２）の下端の一側には、回転モータ（１８）が設けられており、
前記回転モータ（１８）の出力軸には、スクリューコンベヤ（１９）が固定連結されており、
前記貯槽（２）の下端の一側には、接続管を介してエア駆動高圧液体ポンプ（２０）が接続されており、
前記エア駆動高圧液体ポンプ（２０）の出力端には、ノズル（２１）が接続されていることを特徴とするモルタル吹付装置。
【請求項２】
前記基台（１）の下部の４つの隅部には、移動輪（２２）が取り付けられており、
前記移動輪（２２）には、ブレーキ片が設けられていることを特徴とする請求項１に記載のモルタル吹付装置。
【請求項３】
前記貯槽（２）の上端の一側には、材料入口（２３）が設けられており、
前記貯槽（２）の上部の２つのマイクロモータ（６）は、同期することを特徴とする請求項１に記載のモルタル吹付装置。
【請求項４】
前記スクレーパーブレード（９）の下端側壁は、前記貯槽（２）の内側壁に接触されていることを特徴とする請求項１に記載のモルタル吹付装置。
【請求項５】
前記Ｕ字型板（１６）の内側の上下両端には、スクレーパー（２４）が設けられており、
２つの前記スクレーパー（２４）間の距離は、前記撹拌羽根（５）の厚さと整合することを特徴とする請求項１に記載のモルタル吹付装置。
【請求項６】
前記給水管（１２）及び前記ホース（１３）には、電磁バルブ（２５）が設けられており、
前記ホース（１３）の一端には、支管（２６）が接続されており、
前記支管（２６）の一端は、縦支持板（１５）内部のチャンバと接続していることを特徴とする請求項１に記載のモルタル吹付装置。
【請求項７】
前記Ｕ字型板（１６）の上端には、チャンバが設けられており、
前記縦支持板（１５）内部のチャンバと前記Ｕ字型板（１６）内部のチャンバとは、連通されていることを特徴とする請求項６に記載のモルタル吹付装置。
【請求項８】
前記Ｕ字型板（１６）の内側には、複数の水洗用ノズル（２７）が等間隔で設けられており、
前記水洗用ノズル（２７）と前記Ｕ字型板（１６）内部のチャンバとは、連通されていることを特徴とする請求項７に記載のモルタル吹付装置。
【請求項９】
前記支管（２６）には、制御バルブ（２８）が設けられており、
前記貯槽（２）と前記Ｕ字型板（１６）との接触個所には、シールが設けられていることを特徴とする請求項６に記載のモルタル吹付装置。
【請求項１０】
前記案内ロッド（１７）の一端は、前記貯槽（２）の側壁に固設されており、
前記案内ロッド（１７）の、前記貯槽（２）から離間されている一端には、位置決め板（２９）が設けられていることを特徴とする請求項６に記載のモルタル吹付装置。
【考案の詳細な説明】
【技術分野】
【０００１】
本考案は、モルタル吹付技術分野に関し、特に気泡モルタル吹付装置に関するものである。
【背景技術】
【０００２】
モルタル吹付装置は、吹付技術を採用した専門的な吹付装置であり、その原理は、気流を制御して瞬間的にバルブ逆転手段の転流を推進させることによって、エアモータのピストンが安定的かつ連続的な往復動を行うようにすることである。モルタル吹付装置は、足場組み、移動設備や足場の補修などが必要なく、入隅及び出隅や頂板も自由に吹付でき、工事期間を短縮させ、進度を向上させ、フレーム材料の費用支出を節約することができ、パテ粉、塗料、ラテックス塗料、ラッカー塗料、セメントモルタル、乾式吹付モルタル、断熱モルタル、吸音材などの水溶性吹付材料に適用される。
【０００３】
モルタル吹付装置は、耐久性、人的及び物的資源の節約、高吹付効率などの利点により、広く愛用されている。モルタル吹付装置は、使用後には、直ちに清浄する必要があり、さもないと、モルタル吹付装置モルタルが凝固されて、後続の吹付効果に影響を与えるだけではなく、ひいては設備が破損されてしまうこともできる。現在使用されているモルタル吹付装置の洗浄は、大部分が人工的な洗浄であり、特に貯槽の内壁に付着されている残留物を人工的に除去してから、噴射ガンで水を噴射させて貯槽の内部を水洗するが、このような洗浄は、その効率が低いだけではなく、手間がかかり、不便であり、撹拌羽根に対する清掃が困難であった。
【考案の概要】
【考案が解決しようとする課題】
【０００４】
従来技術における上記のような問題を解消するために、モルタル吹付装置を提供し、本考案が解決しようとする課題は、如何にしてモルタル貯槽の内部を清掃するかのことである。
【課題を解決するための手段】
【０００５】
上記の目的を実現するために、本考案に係るモルタル吹付装置は、基台と、この基台の上端に固設されている貯槽と、を備え、前記貯槽の上端には、駆動モータが固設されており、前記駆動モータの出力軸には、撹拌羽根が設けられている撹拌軸が固定連結されており、前記貯槽の上端の前後両側には、マイクロモータが固定取付されており、前記マイクロモータの出力軸には、スクリューロッドが固定連結されており、前記貯槽の内部には、前後両端が前記スクリューロッドにネジ結合されている可動枠が設けられており、前記可動枠の下部には、スクレーパーブレードが固設されており、前記貯槽の上端の一側には、水槽が設けられており、前記水槽の上端には、水ポンプが固設されており、前記水ポンプの出力端は、給水管を介して前記貯槽の内部と接続しており、前記給水管には、ホースが接続されており、前記ホースの一端は、前記可動枠内部のチャンバと接続しており、前記可動枠の外側壁には、複数の透水孔が等間隔で設けられており、前記貯槽の外端の一側には、縦支持板が設けられており、前記縦支持板の一側には、複数のＵ字型板が等間隔で設けられており、前記Ｕ字型板の一端は、前記貯槽の側壁を貫通するように前記貯槽の内部に設けられており、前記縦支持板の両端のいずれにも、案内ロッドが設けられており、前記貯槽の下端の一側には、回転モータが設けられており、前記回転モータの出力軸には、スクリューコンベヤが固定連結されており、前記貯槽の下端の一側には、接続管を介してエア駆動高圧液体ポンプが接続されており、前記エア駆動高圧液体ポンプの出力端には、ノズルが接続されている。
【０００６】
好ましい実施の形態において、前記基台の下部の４つの隅部には、移動輪が取り付けられており、前記移動輪には、ブレーキ片が設けられており、移動輪によって設備の移動が簡単になる。
【０００７】
好ましい実施の形態において、前記貯槽の上端の一側には、材料入口が設けられており、前記貯槽の上部の２つのマイクロモータは、可動枠が安定的に昇降するように同期する。
【０００８】
好ましい実施の形態において、前記スクレーパーブレードの下端側壁は、このスクレーパーブレードを利用して貯槽の内側壁に対して清掃を行うように、貯槽の内側壁に接触されている。
【０００９】
好ましい実施の形態において、前記Ｕ字型板の内側の上下両端には、スクレーパーが設けられており、２つのスクレーパー間の距離が撹拌羽根の厚さと整合することにより、撹拌羽根がＵ字型板を経由するときにスクレーパーが撹拌羽根における残留物を削り取ることができる。
【００１０】
好ましい実施の形態において、前記給水管及びホースには、電磁バルブが設けられており、前記ホースの一端には、支管が接続されており、前記支管の一端は、縦支持板内部のチャンバと接続している。
【００１１】
好ましい実施の形態において、前記Ｕ字型板の上端には、チャンバが設けられており、前記縦支持板内部のチャンバとＵ字型板内部のチャンバとが連通されている。
【００１２】
好ましい実施の形態において、前記Ｕ字型板の内側には、複数の水洗用ノズルが等間隔で設けられており、水洗用ノズルとＵ字型板内部のチャンバとが連通されている。
【００１３】
好ましい実施の形態において、前記支管には、制御バルブが設けられており、前記貯槽とＵ字型板との接触個所には、シールが設けられており、これにより、モルタルがＵ字型板から流出されることを防止する。
【００１４】
好ましい実施の形態において、前記案内ロッドの一端は、貯槽の側壁に固設されており、前記案内ロッドの、前記貯槽から離間されている一端には、位置決め板が設けられており、案内ロッドは、縦支持板がより安定的に移動するように機能する。
【考案の効果】
【００１５】
従来技術と比べて、本考案は下記のような技術的効果及び利点がある。
１．本考案は、マイクロモータ、スクリューロッド、可動枠、スクレーパーブレード、ホース及び透水孔を設け、スクリューロッドがマイクロモータに連動されて回転し、スクリューロッドが回転するときに、スクレーパーブレードが可動枠に連動されて共に下降することにより、スクレーパーブレードを利用して貯槽の内側壁における残留物を削り取り、水ポンプが、ホースを介して水を可動枠内部のチャンバに流入させ、透水孔から水を貯槽の内側壁に噴射させて貯槽の内側壁を水洗することにより、貯槽の内側壁に対する清掃効果をより優れるようにする。
２．本考案は、縦支持板、Ｕ字型板、スクレーパー、案内ロッド及び水洗用ノズルを設け、清掃時に縦支持板を貯槽内部に推進させ、撹拌羽根が回転してＵ字型板を経由するときに、Ｕ字型板の内側のスクレーパーが撹拌羽根に対して清掃を行い、その後水洗用ノズルを利用して撹拌羽根を水洗することにより、撹拌羽根に対する清掃が容易になる。
【図面の簡単な説明】
【００１６】
【図１】本考案の全体構造を示す図である。
【図２】本考案のスクレーパーの取付構造を示す図である。
【図３】本考案のＵ字型板の構造を示す図である。
【図４】本考案の撹拌羽根を清掃するときの構造を示す図である。
【考案を実施するための形態】
【００１７】
図１〜２に示したモルタル吹付装置は、基台１と、基台１の上端に固設されている貯槽２と、を備え、前記貯槽２の上端には、駆動モータ３が固設されており、前記駆動モータ３の出力軸には、撹拌羽根５が設けられている撹拌軸４が固定連結されており、前記貯槽２の上端の前後両側には、マイクロモータ６が固定取付されており、前記マイクロモータ６の出力軸には、スクリューロッド７が固定連結されており、貯槽２の内部には、可動枠８が設けられており、前記可動枠８の前後両端は、スクリューロッド７にネジ結合されており、前記可動枠８の下部にはスクレーパーブレード９が固設されており、前記貯槽２の上端の一側には、水槽１０が設けられており、前記水槽１０の上端には、水ポンプ１１が固設されており、前記水ポンプ１１の出力端は、給水管１２を介して貯槽２の内部と接続しており、前記給水管１２には、ホース１３が接続されており、前記ホース１３の一端は、可動枠８内部のチャンバと接続しており、前記可動枠８の外側壁には、複数の透水孔１４が等間隔で設けられており、前記貯槽２の下端の一側には、回転モータ１８が設けられており、前記回転モータ１８の出力軸には、スクリューコンベヤ１９が固定連結されており、前記貯槽２の下端の一側には、接続管を介してエア駆動高圧液体ポンプ２０が接続されており、前記エア駆動高圧液体ポンプ２０の出力端には、ノズル２１が接続されている。
【００１８】
さらに、前記基台１の下部の４つの隅部には、移動輪２２が取り付けられており、前記移動輪２２には、ブレーキ片が設けられており、移動輪２２によって設備の移動が簡単になる。
【００１９】
さらに、前記貯槽２の一側には、材料入口２３が設けられており、前記貯槽２の上部の２つのマイクロモータ６は、可動枠８が安定的に昇降するように同期する。
【００２０】
さらに、前記スクレーパーブレード９の下端側壁は、このスクレーパーブレード９を利用して貯槽２の内側壁に対して清掃を行うように、貯槽２の内側壁に接触されている。
【００２１】
実施の形態は、具体的に、貯槽２の内側壁を清掃する場合、マイクロモータ６及び水ポンプ１１をオンし、スクリューロッド７がマイクロモータ６に連動されて回転し、スクリューロッド７が回転するときに、スクレーパーブレード９が可動枠８に連動されて共に下方に移動し、この下方への移動時にスクレーパーブレード９が貯槽２の内側壁における残留物を削り取ることができる。また、水ポンプ１１は、ホース１３を介して水槽１０に貯蔵されている水を可動枠８内部のチャンバに流入させ、その後可動枠８の透水孔１４から水を貯槽２の内側壁に噴射させて貯槽２の内側壁を水洗するので、貯槽２の内側壁に対する清掃効果はより優れる。
【００２２】
図３〜図４に示したモルタル吹付装置において、前記貯槽２の外端の一側には、縦支持板１５が設けられており、前記縦支持板１５の一側には、複数のＵ字型板１６が等間隔で設けられており、前記Ｕ字型板１６の一端は、貯槽２の側壁を貫通して貯槽２の内部に位置され、前記縦支持板１５の両端には、案内ロッド１７が設けられている。
【００２３】
さらに、前記Ｕ字型板１６の内側の上下両端には、スクレーパー２４が設けられており、２つのスクレーパー２４間の距離が撹拌羽根５の厚さと整合することにより、撹拌羽根５がＵ字型板１６を経由するときにスクレーパー２４が撹拌羽根５における残留物を削り取ることができる。
【００２４】
さらに、前記給水管１２及びホース１３には、電磁バルブ２５が設けられており、前記ホース１３の一端には、支管２６が接続されており、前記支管２６の一端は、縦支持板１５内部のチャンバと接続している。
【００２５】
さらに、前記Ｕ字型板１６の上端には、チャンバが設けられており、水がＵ字型板１６内部へ容易に流入するように、前記縦支持板１５内部のチャンバとＵ字型板１６内部のチャンバとが連通されている。
【００２６】
さらに、前記Ｕ字型板１６の内側には、複数の水洗用ノズル２７が等間隔で設けられており、水洗用ノズル２７が撹拌羽根５を容易に水洗するように、水洗用ノズル２７とＵ字型板１６内部のチャンバとが連通されている。
【００２７】
さらに、前記支管２６には、制御バルブ２８が設けられており、前記貯槽２とＵ字型板１６との接触個所には、シールが設けられており、これにより、モルタルがＵ字型板１６から流出されることを防止する。
【００２８】
さらに、前記案内ロッド１７の一端は、貯槽２の側壁に固設されており、前記案内ロッド１７の、前記貯槽２から離間されている一端には、位置決め板２９が設けられており、案内ロッド１７は、縦支持板１５がより安定的に移動するように機能する。
【００２９】
実施の形態は、具体的に、撹拌羽根５を清掃する場合、可動枠８を上端まで移動させた後、複数のＵ字型板１６が縦支持板１５に連動されて貯槽２の内部へ移動するように、縦支持板１５を推進させ、その後駆動モータ３及び水ポンプ１１をオンし、給水管１２及びホース１３における電磁バルブ２５を遮断すると共に、支管２６における制御バルブ２８を開放し、撹拌軸４及び撹拌羽根５が駆動モータ３に連動されて回転し、撹拌羽根５は、回転時にＵ字型板１６を経由することができ、撹拌羽根５がＵ字型板１６を経由するときに、Ｕ字型板１６の内側のスクレーパー２４は、撹拌羽根５における残留物を削り取ることができる。水ポンプ１１は、水槽１０内の水を縦支持板１５内部に流入させ、その後Ｕ字型板１６内部に流入させた後、Ｕ字型板１６の内側の水洗用ノズル２７から噴射させて撹拌羽根５を水洗することができる。
【符号の説明】
【００３０】
１      基台
２      貯槽
３      駆動モータ
４      撹拌軸
５      撹拌羽根
６      マイクロモータ
７      スクリューロッド
８      可動枠
９      スクレーパーブレード
１０    水槽
１１    水ポンプ
１２    給水管
１３    ホース
１４    透水孔
１５    縦支持板
１６    Ｕ字型板
１７    案内ロッド
１８    回転モータ
１９    スクリューコンベヤ
２０    エア駆動高圧液体ポンプ
２１    ノズル
２２    移動用輪
２３    材料入口
２４    スクレーパー
２５    電磁バルブ
２６    支管
２７    洗浄用ノズル
２８    制御バルブ
２９    位置決め板
【図１】
0003235431.tif 000003
【図２】
0003235431.tif 000004
【図３】
0003235431.tif 000005
【図４】
0003235431.tif 000006